(57)【要約】【課題】ユーザに意識させることなく、ユーザの実際の行動に応じてミュート動作を制御し、利便性を向上させる。【解決手段】音声処理装置は、音声検出部２０と、音声検出部２０に音声を導く音孔を塞ぐための第１の接近を検出する第１の接近検出部２１と、音声出力部２２と、音声出力部２２から出力される音声を聞くための第２の接近を検出する第２の接近検出部２３と、第１の接近検出部２１による第１の接近の検出結果に基づいて、音声検出部２０により検出された音声を通話相手に送信するか送信しないかを制御し、第１の接近検出部２１による第１の接近の検出結果と第２の接近検出部２３による第２の接近の検出結果とに基づいて、音声検出部２０により検出された音声を送信しない状態を継続するか、送信しない状態を解除して送信するかを制御する制御部２４とを備えている。【選択図】図５
2014090350.tif 000002
【特許請求の範囲】
【請求項１】
音声検出部と、
前記音声検出部に音声を導く音孔を塞ぐための第１の接近を検出する第１の接近検出部と、
音声出力部と、
前記音声出力部から出力される音声を聞くための第２の接近を検出する第２の接近検出部と、
前記第１の接近検出部による第１の接近の検出結果に基づいて、前記音声検出部により検出された音声を無効とするか有効とするかを制御し、前記第１の接近検出部による第１の接近の検出結果と前記第２の接近検出部による第２の接近の検出結果とに基づいて、前記音声検出部により検出された音声の無効状態を継続するか無効状態を解除して有効とするかを制御する制御部と
を備えることを特徴とする音声処理装置。
【請求項２】
前記制御部は、
少なくとも前記第１の接近検出部により前記第１の接近が検出されている間、前記音声検出部により検出された音声を無効状とするよう制御する
ことを特徴とする請求項１に記載の音声処理装置。
【請求項３】
前記制御部は、
前記音声検出部により検出された音声を無効としている間に、前記第２の接近検出部により前記第２の接近が検出されず、かつ前記第１の接近検出部により前記第１の接近が検出されない場合に、前記音声検出部により検出された音声の無効状態を継続するよう制御する
ことを特徴とする請求項２に記載の音声処理装置。
【請求項４】
前記制御部は、
前記音声検出部により検出された音声を無効としている間に、前記第２の接近検出部により前記第２の接近が検出され、かつ前記第１の接近検出部により前記第１の接近が検出されない場合に、前記音声検出部により検出された音声の無効状態を解除して有効とするように制御する
ことを特徴とする請求項２または３に記載の音声処理装置。
【請求項５】
音声検出部と、
前記音声検出部に音声を導く音孔を塞ぐための第１の接近を検出する第１の接近検出部と、
音声出力部と、
前記音声出力部から出力される音声を聞くための第２の接近を検出する第２の近接検出部と、
前記第１の接近検出部による第１の接近の検出結果に基づいて、前記音声検出部により検出された音声を通話相手に送信するか送信しないかを制御し、前記第１の接近検出部による第１の接近の検出結果と前記第２の接近検出部による第２の接近の検出結果とに基づいて、前記音声検出部により検出された音声を送信しない状態を継続するか、送信しない状態を解除して送信する状態とするかを制御する制御部と
を備えることを特徴とする通信装置。
【請求項６】
前記制御部は、
少なくとも前記第１の接近検出部により前記第１の接近が検出されている間、前記音声検出部により検出された音声を通話相手に送信しないよう制御する
ことを特徴とする請求項５に記載の通信装置。
【請求項７】
前記制御部は、
前記音声検出部により検出された音声を通話相手に送信しない状態としている間に、前記第２の接近検出部により前記第２の接近が検出されず、かつ前記第１の接近検出部により前記第１の接近が検出されない場合に、前記音声検出部により検出された音声を通話相手に送信しない状態を継続するよう制御する
ことを特徴とする請求項６に記載の通信装置。
【請求項８】
前記制御部は、
前記音声検出部により検出された音声を通話相手に送信しない状態としている間に、前記第２の接近検出部により前記第２の接近が検出され、かつ前記第１の接近検出部により前記第１の接近が検出されない場合に、前記音声検出部により検出された音声を送信しない状態を解除して送信するように制御する
ことを特徴とする請求項６または７に記載の通信装置。
【請求項９】
音声検出部に音声を導く音孔を塞ぐための第１の接近を検出する第１の接近検出ステップと、
音声出力部から出力される音声を聞くための第２の接近を検出する第２の接近検出ステップと、
前記第１の接近の検出結果に基づいて、前記音声検出部により検出された音声を無効とするか有効とするかを制御し、前記第１の接近の検出結果と前記第２の接近の検出結果とに基づいて、前記音声検出部により検出された音声の無効状態を継続するか無効状態を解除して有効とするかを制御する制御ステップと
を含むことを特徴とする音声制御方法。
【請求項１０】
コンピュータに、
音声検出部に音声を導く音孔を塞ぐための第１の接近を検出する第１の接近検出機能、
音声出力部から出力される音声を聞くための第２の接近を検出する第２の接近検出機能、
前記第１の接近検出機能による前記第１の接近の検出結果に基づいて、前記音声検出部により検出された音声を無効とするか有効とするかを制御し、前記第１の接近検出機能による前記第１の接近の検出結果と前記第２の接近検出機能による前記第２の接近の検出結果とに基づいて、前記音声検出部により検出された音声の無効状態を継続するか無効状態を解除して有効とするかを制御する制御機能
を実行させることを特徴とするプログラム。
【発明の詳細な説明】
【技術分野】
【０００１】
本発明は、音声処理装置、通信装置、音声制御方法、及びプログラムに関する。
【背景技術】
【０００２】
携帯電話端末において、通話中に第三者から話しかけられるなどの行為に応じるため、周囲の話し声を通話相手に伝えないように、マイクロホン音孔を指や手で塞ぐことが一般的な動作である。しかしながら、このようにマイクロホン音孔を指や手で塞ぐと、指や手の摩擦音を伝えてしまったり、音孔を十分に塞ぐことができず、通話相手に声が聞こえてしまったりする。そこで、所定の操作でマイクロホンをオフにするミュート状態にする技術が提案されている。
【０００３】
特許文献１には、ユーザが、携帯電話端末を耳元から離すと、耳が離れたことを近接センサにより検出し、マイクロホンをオフするミュートに切り替え、ユーザが、通話を再開するべく携帯電話端末を再び耳元に近づけると、ミュートを解除する技術が提案されている。
【０００４】
特許文献２には、通話中に、ユーザがマイクの近傍に設けられた接触検出部に指を触れると、マイクからの音声にミュートをかけ、接触検出部から指を離すと、音声のミュートを解除する技術が提案されている。
【先行技術文献】
【特許文献】
【０００５】
【特許文献１】特開２０１２−０１０１８３号公報
【特許文献２】特開２００７−０８１４６０号公報
【発明の概要】
【発明が解決しようとする課題】
【０００６】
しかしながら、特許文献１では、耳元から離さなければミュートすることができないため、通話中に周囲の話し声を通話相手に伝えないように、耳元から離すことなくマイクロホン音孔を指や手で塞ぐという動作でミュートすることができない。
【０００７】
また、特許文献２では、ミュートした状態を継続するには、接触検出部から指を離すことができないため、例えば、通話中にメモ帳や資料などを探すなど、携帯電話端末を耳元から離しミュートした状態で、他の作業を行うことができない。
【０００８】
このように、特許文献１、２では、通話中におけるユーザの実際の行動に応じてミュート動作を制御することができず、利便性が悪いという問題がある。
【０００９】
そこで本発明は、ユーザに意識させることなく、ユーザの実際の行動に応じてミュート動作を制御することができ、利便性を向上させることができる音声処理装置、通信装置、音声制御方法、及びプログラムを提供することを目的とする。
【課題を解決するための手段】
【００１０】
本発明の音声処理装置は、音声検出部と、前記音声検出部に音声を導く音孔を塞ぐための第１の接近を検出する第１の接近検出部と、音声出力部と、前記音声出力部から出力される音声を聞くための第２の接近を検出する第２の接近検出部と、前記第１の接近検出部による第１の接近の検出結果に基づいて、前記音声検出部により検出された音声を無効とするか有効とするかを制御し、前記第１の接近検出部による第１の接近の検出結果と前記第２の接近検出部による第２の接近の検出結果とに基づいて、前記音声検出部により検出された音声の無効状態を継続するか無効状態を解除して有効とするかを制御する制御部とを備えることを特徴とする音声処理装置である。
【００１１】
本発明の音声処理装置は、音声検出部と、前記音声検出部に音声を導く音孔を塞ぐための第１の接近を検出する第１の接近検出部と、音声出力部と、前記音声出力部から出力される音声を聞くための第２の接近を検出する第２の近接検出部と、前記第１の接近検出部による第１の接近の検出結果に基づいて、前記音声検出部により検出された音声を通話相手に送信するか送信しないかを制御し、前記第１の接近検出部による第１の接近の検出結果と前記第２の接近検出部による第２の接近の検出結果とに基づいて、前記音声検出部により検出された音声を送信しない状態を継続するか、送信しない状態を解除して送信する状態とするかを制御する制御部とを備えることを特徴とする通信装置である。
【００１２】
本発明の音声制御方法は、音声検出部に音声を導く音孔を塞ぐための第１の接近を検出する第１の接近検出ステップと、音声出力部から出力される音声を聞くための第２の接近を検出する第２の接近検出ステップと、前記第１の接近の検出結果に基づいて、前記音声検出部により検出された音声を無効とするか有効とするかを制御し、前記第１の接近の検出結果と前記第２の接近の検出結果とに基づいて、前記音声検出部により検出された音声の無効状態を継続するか無効状態を解除して有効とするかを制御する制御ステップとを含むことを特徴とする音声制御方法である。
【００１３】
本発明のプログラムは、コンピュータに、音声検出部に音声を導く音孔を塞ぐための第１の接近を検出する第１の接近検出機能、音声出力部から出力される音声を聞くための第２の接近を検出する第２の接近検出機能、前記第１の接近検出機能による前記第１の接近の検出結果に基づいて、前記音声検出部により検出された音声を無効とするか有効とするかを制御し、前記第１の接近検出機能による前記第１の接近の検出結果と前記第２の接近検出機能による前記第２の接近の検出結果とに基づいて、前記音声検出部により検出された音声の無効状態を継続するか無効状態を解除して有効とするかを制御する制御機能を実行させることを特徴とするプログラムである。
【発明の効果】
【００１４】
この発明によれば、ユーザに意識させることなく、ユーザの実際の行動に応じてミュート動作を制御することができ、利便性を向上させることができる。
【図面の簡単な説明】
【００１５】
【図１】本発明の第１実施形態による携帯電話端末１の略構成（マイクロホンミュート機能）を示すブロック図である。
【図２】本第１実施形態による携帯電話端末１の動作を説明するためのフローチャートである。
【図３】本第２実施形態による携帯電話端末１の動作を説明するためのフローチャートである。
【図４】本第２実施形態による携帯電話端末１の動作を説明するためのフローチャートである。
【図５】付記１の構成図である。
【発明を実施するための形態】
【００１６】
以下、本発明の実施の形態を、図面を参照して説明する。
【００１７】
Ａ．第１実施形態
図１は、本発明の第１実施形態による携帯電話端末１の略構成（マイクロホンミュート機能）を示すブロック図である。図において、携帯電話端末１は、１つ以上のマイクロホン２、マイクロホンアンプ３、レシーバ４、スピーカ５、スピーカアンプ６、ＤＳＰ（Ｄｉｇｉｔａｌ  Ｓｉｇｎａｌ  Ｐｒｏｃｅｓｓｏｒ）７、近接センサ１１、１２を備えている。
【００１８】
マイクロホン２は、音声通話などにおいてユーザの音声を集音する。マイクロホンアンプ３は、マイクロホン２から入力される音声信号を増幅してＤＳＰ７に供給する。レシーバ４は、携帯電話端末１を耳に押し当てて通話する際に、通話相手の音声を出力するための音声出力手段である。スピーカ５は、ハンズフリーなど、携帯電話端末１を耳に押し当てずに離して通話する際に、通話相手の音声を出力するための音声出力手段である。スピーカアンプ６は、後述するコーデック部１０からの通話相手の音声信号を、ユーザが携帯電話端末１を離した状態でも、通話相手の音声を聞くことができる出力レベルに増幅してスピーカ５から出力する。
【００１９】
ＤＳＰ７は、マイクロホン２で集音しマイクロホンアンプ３で増幅された音声信号のデジタル化や、通話相手の音声データのコーデック処理、後述する近接センサ１１、１２による検出結果に従って、マイクロホン２で集音した音声をミュートするか否か、すなわちマイクロホン２により集音したユーザの音声を、通話相手に送信するか否かを制御する。
【００２０】
近接センサ１１は、レシーバ４の近傍に設けられており、ユーザが携帯電話端末１（のレシーバ４）に耳を押し当てて通話する際の耳の接近を検出する。近接センサ１２は、マイクロホン２の近傍（マイクロホン２の位置に設けられた、音声をマイクロホン２に導く音孔の近傍や周囲）に設けられている。該近接センサ１２は、ユーザが自身の音声や周囲音を通話相手に聞こえないように、自身の手や指等で音孔を塞ぐ動作を行った際の手や指等の接近を検出する。
【００２１】
ところで、携帯電話端末１の場合、（ハンズフリーでない）通常の通話中、マイクロホン２の近くに、ユーザの顔（口）が接近することになるので、近接センサ１２は、ユーザの顔（口）の接近を、音孔を塞ぐ動作を行った際の手や指等の接近として誤検出する可能性がある。但し、音孔を塞ぐ動作を行った際の手や指等は、通話中におけるユーザの顔（口）に比べ、携帯電話端末１（近接センサ１２）に、より近づく、あるいは、筐体もしくは近接センサ１２に直接接触する、という差異がある。そこで、本実施形態では、この差異に注目して、ユーザの顔（口）ではなく、音孔を塞ぐ動作を行った際の手や指等の接近（接触を含む）を検出するように、近接センサ１２の検出感度や検出レベルの閾値等を調整する。以下では、近接センサ１２は、音声をマイクロホン２に導く音孔を塞ぐ動作を行った際の手や指等の接近を検出するものとして説明するが、手や指等の接触を検出するようにしてもよい。
【００２２】
ミュート判別部９は、近接センサ１２により音孔を塞ぐ動作を行った際の接近が検出されたか否か、または近接センサ１１により耳が押し当てられた際の接近が検出されたか否かに基づいて、マイクロホン２、マイクロホンアンプ３、ＡＤＣ（Ａｎａｌｏｇ  Ｄｉｇｉｔａｌ  Ｃｏｎｖｅｒｔｏｒ）８から供給される音声データをミュートするか否か、すなわちマイクロホン２により集音したユーザの音声を、通話相手に送信するか否かを判別する。
【００２３】
ＤＳＰ７は、ＡＤＣ８、ミュート判別部９、コーデック部１０からなる。ＡＤＣ８は、マイクロホン２で集音しマイクロホンアンプ３で増幅された音声信号をデジタル化して音声データとしてミュート判別部９に供給する。
【００２４】
コーデック部１０は、図示しない通信部から供給される、通話相手の符号化された音声データをデコードして復号するとともに、マイクロホン２で集音され、ＡＤＣ８でデジタル化された音声データをエンコードして符号化する。また、コーデック部１０は、近接センサ１１によりレシーバ４で聞くための耳の接近が検出されたか否かに基づいて、デコードして復号した通話相手の音声データをレシーバ４から出力するか、スピーカアンプ６を介してスピーカ５から出力するかを切り替える。
【００２５】
より具体的には、コーデック部１０は、近接センサ１１によりレシーバ４で聞くための耳の接近が検出されている場合、すなわちユーザが携帯電話端末１を耳に押し当てている場合には、通話相手の音声データをレシーバ４から出力するよう制御する。一方、コーデック部１０は、近接センサ１１によりレシーバ４で聞くための耳の接近が検出されない場合、すなわちユーザが携帯電話端末１を耳から離している場合には、通話相手の音声データを、スピーカアンプ６を介してスピーカ５から出力するよう制御する。
【００２６】
次に、上述した第１実施形態の動作について説明する。
図２は、本第１実施形態による携帯電話端末１の動作を説明するためのフローチャートである。携帯電話端末１において、通話が開始されると、まず、マイクロホン２によって集音し（ステップＳ１０）、集音された音声信号を、マイクロホンアンプ３を経由してＤＳＰ７に入力し（ステップＳ１２）、ＤＳＰ７では、ＡＤＣ８が音声をデジタル化する（ステップＳ１４）。
【００２７】
次に、ミュート判別部９は、ハンズフリー通話状態であるか否かを判別する（ステップＳ１６）。ハンズフリー通話状態とは、携帯電話端末１を顔に近づけることなく、ある程度の距離で離した状態で通話する状態である。そして、ハンズフリー通話状態でない場合には（ステップＳ１６のＮＯ）、ミュート判別部９は、近接センサ１２により音孔を塞ぐための手や指等の接近が検出されているか否かを判別する（ステップＳ１８）。すなわち、ミュート判別部９は、近接センサ１２により、ユーザ自身の音声や周囲音を通話相手に聞こえないように、自身の手や指等でマイクロホン２へ音声を導く音孔を塞ぐ動作を行った際の手や指等の接近が検出されたか否かを判別する。
【００２８】
そして、近接センサ１２により音孔を塞ぐための手や指等の接近が検出されていない場合、すなわち音孔を塞ぐ動作が行われていない場合には（ステップＳ１８のＮＯ）、ミュート判別部９は、近接センサ１１により、ユーザが携帯電話端末１を耳に押し当てて通話する際の接近が検出されたか否かを判別する（ステップＳ２０）。
【００２９】
そして、近接センサ１１によりレシーバ４で聞くための耳の接近が検出されている場合、すなわち耳に押し当てて通話する際の接近が検出されている場合には（ステップＳ２０のＹＥＳ）、ミュート判別部９は、マイクロホン２の入力をミュートせず、通話状態を維持する（ステップＳ２４）。
【００３０】
つまり、ユーザがマイクロホン２へ音声を導く音孔を塞ぐことなく、携帯電話端末１を耳に押し当てて通話している場合には、マイクロホン２から入力された音声を通話相手に送信するとともに、通話相手の符号化された音声データをコーデック部１０でデコードして復号し、レシーバ４から出力するという通常の通話動作を行う。
【００３１】
一方、近接センサ１２により音孔を塞ぐための手や指等の接近が検出されている場合、すなわち通話中にユーザがマイクロホン２へ音声を導く音孔を手や指等で塞いだ場合には（ステップＳ１８のＹＥＳ）、ミュート判別部９は、マイクロホン２の入力をミュートし、音声を通話相手に送信しないように制御する（ステップＳ２２）。
【００３２】
つまり、ユーザが通話中に第三者から話しかけられるなどの行為に応じるため、周囲の話し声を通話相手に伝えないように、マイクロホン２の音孔を指や手で塞ぐという通常の動作を行うことで、マイクロホン２の入力がミュートされる。音声は、通話相手に送信されることはない。この場合、マイクロホン２の入力をミュートしているので、指や手の摩擦音を伝えてしまったり、音孔を十分に塞ぐことができずに、通話相手に声が聞こえてしまったりするということもない。
【００３３】
また、通話中に、近接センサ１２により音孔を塞ぐための手や指等の接近が検出されておらず、かつ、近接センサ１１によりレシーバ４で聞くための耳の接近が検出されていない場合、すなわち、ユーザがマイクロホン２へ音声を導く音孔を塞いでいないものの、携帯電話端末１を耳から離した場合にも（ステップＳ１８のＮＯ、ステップＳ２０のＮＯ）、ミュート判別部９は、マイクロホン２の入力をミュートし、音声を通話相手に送信しないように制御する（ステップＳ２２）。
【００３４】
つまり、ユーザが携帯電話端末１を耳から離した場合も、何らの理由で通常の通話（携帯電話端末１を耳に押し当てての通話）ができなくなったものと判断し、音声を通話相手に送信しないようにミュート状態とする。例えば、ユーザがマイクロホン２へ音声を導く音孔を塞ぐという動作をうっかり忘れ、携帯電話端末１を耳から離してしまった場合などに相当する。このような場合であっても、マイクロホン２の入力をミュートしているので、周囲の音声が通話相手に聞こえてしまったりするということは生じない。
【００３５】
また、上述した動作からも分かるように、ユーザが携帯電話端末１を耳に押し当てた状態で、マイクロホン２へ音声を導く音孔を塞ぎ（ステップＳ１８のＮＯ、ステップＳ２２、この時点でミュート状態）、そのまま携帯電話端末１を耳から離しても、音孔を塞いでいる間、ミュート状態は維持されることになる。その後、ユーザがマイクロホン２へ音声を導く音孔を塞いでいた手または指を離しても、携帯電話端末１は、耳から離れているので（ステップＳ２０のＮＯ）、やはりミュート状態は維持されることになる。
【００３６】
したがって、ユーザは、ミュートするために音孔を継続して塞いでいる必要がないので、通話中にメモ帳や資料などを探すなど、携帯電話端末１を耳元から離した状態で（机などに置いた状態で）、他の作業を行うことができる。この間、ミュート状態は維持されるので、周囲の音声が通話相手に聞こえるということはない。
【００３７】
また、上述したミュート状態において、ユーザが携帯電話端末１を耳に押し当てた状態に持っていくと（ステップＳ１８のＮＯ、ステップＳ２０のＹＥＳ）、ミュート判別部９は、ミュートを解除し、マイクロホン２から入力された音声を通話相手に送信するとともに、通話相手の符号化された音声データをコーデック部１０でデコードして復号し、レシーバ４から出力するという通常の通話動作を行う（ステップＳ２４）。
【００３８】
また、ハンズフリー通話状態である場合には（ステップＳ１６のＹＥＳ）、ミュート判別部９は、ミュートを解除し、マイクロホン２から入力された音声を通話相手に送信する（ステップＳ２４）。なお、ハンズフリー通話状態である場合には、通話相手の符号化された音声データをコーデック部１０でデコードして復号し、スピーカアンプ６を介してスピーカ５から出力するという通話動作を行う。
【００３９】
その後、上述したいずれの場合においても、終話操作があったか否かを判別し（ステップＳ２６）、終話操作がない場合には（ステップＳ２６のＮＯ）、ステップＳ１０に戻り、上述した処理を繰り返す。一方、終話操作があった場合には（ステップＳ２６のＹＥＳ）、回線切断処理を実行し（ステップＳ２８）、当該処理を終了する。
【００４０】
上述した第１実施形態によれば、レシーバ４から出力される音声を聞くための耳の接近を検出する近接センサ１１による検出結果と、音声を導く音孔を塞ぐための手や指等の接近を検出する近接センサ１２の検出結果とに従って、マイクロホン２からの音声を通話相手に送信するか否かを制御（ミュート開始、継続、解除）するようにしたので、ユーザに意識させることなく、ユーザの動作や行動に応じてミュート動作（開始、継続、解除）を制御することができ、より利便性を向上させることができる。
【００４１】
より具体的には、上述した第１実施形態によれば、音声を導く音孔を塞ぐという通常の動作を検出した場合、あるいは携帯電話端末１を耳から離したことを検出した場合に、マイクロホン２から入力された音声を無効とするミュートを開始するようにしたので、ユーザにキーを押すなどの意図的な操作を行わせること無しに、ミュート状態に移行させることができる。
【００４２】
また、上述した第１実施形態によれば、ユーザが音孔から手または指を離して、携帯電話端末１を耳に接近させると、ミュート状態を解除するようにしたので、キーを押すなどの意図的な操作を行わせること無しに、ミュート状態を解除して通常の通話動作へ戻ることができる。
【００４３】
また、上述した第１実施形態によれば、ミュート状態において、携帯電話端末１を耳から離している場合、音声を導く音孔が塞がれていなくても、ミュート状態を継続するようにしたので、ミュートするために音孔を継続して塞いでいる必要がなくなり、通話中にメモ帳や資料などを探すなど、ハンズフリーで他の作業を行うことができる。
【００４４】
Ｂ．第２実施形態
次に、本発明の第２実施形態について説明する。
なお、本第２実施形態による携帯電話端末１の構成は、上述した第１実施形態の図１と同様であるので説明を省略する。本第２実施形態では、ユーザの利便性をより向上させるために、ユーザが携帯電話端末１を耳から離している場合において、ミュート動作の継続、解除を制御するようになっている。
【００４５】
図３、及び図４は、本第２実施形態による携帯電話端末１の動作を説明するためのフローチャートである。携帯電話端末１において、通話が開始されると、まず、マイクロホン２によって集音し（ステップＳ４０）、集音された音声信号を、マイクロホンアンプ３を経由してＤＳＰ７に入力し（ステップＳ４２）、ＤＳＰ７では、ＡＤＣ８が音声をデジタル化する（ステップＳ４４）。
【００４６】
次に、ミュート判別部９は、ハンズフリー通話状態であるか否かを判別する（ステップＳ４６）。そして、ハンズフリー通話状態でない場合には（ステップＳ４６のＮＯ）、ミュート判別部９は、現在、音声を通話相手に送信しないように制御するミュート状態であるか否かを判別する（ステップＳ４８）。ここで、ミュート状態でない場合には（ステップＳ４８のＮＯ）、ミュート判別部９は、近接センサ１２により音孔を塞ぐための手や指等の接近が検出されているか否かを判別する（ステップＳ５０）。すなわち、ミュート判別部９は、近接センサ１２により、ユーザが自身の音声や周囲音を通話相手に聞こえないように、自身の手や指等でマイクロホン２へ音声を導く音孔を塞ぐ動作を行った際の手や指等の接近が検出されたか否かを判別する。
【００４７】
そして、近接センサ１２により音孔を塞ぐための手や指等の接近が検出されていない場合、すなわち音孔を塞ぐ動作が行われていない場合には（ステップＳ５０のＮＯ）、ミュート判別部９は、マイクロホン２の入力をミュートせず、通話状態を維持する（ステップＳ５４）。
【００４８】
つまり、携帯電話端末１を耳に押し当てているか否かに拘わらず、ユーザがマイクロホン２へ音声を導く音孔を塞ぐことなく通話している場合には、マイクロホン２から入力された音声を通話相手に送信するとともに、通話相手の符号化された音声データをコーデック部１０でデコードして復号し、レシーバ４から出力するという通常の通話動作を行う。
【００４９】
一方、近接センサ１２により音孔を塞ぐための手や指等の接近が検出されている場合、すなわち通話中にユーザがマイクロホン２へ音声を導く音孔を塞いだ場合や、あるいは、通話中にユーザが携帯電話端末１を耳から離した後、音孔を塞いだ場合には（ステップＳ５０のＹＥＳ）、ミュート判別部９は、マイクロホン２の入力をミュートし、音声を通話相手に送信しないように制御する（ステップＳ５２）。
【００５０】
つまり、ユーザが通話中に第三者から話しかけられるなどの行為に応じるため、周囲の話し声を通話相手に伝えないように、携帯電話端末１を耳に押し当てた状態で、あるいは耳から離した状態で、マイクロホン２の音孔を指や手で塞ぐという通常の動作を行うことで、マイクロホン２の入力がミュートされる。音声は、通話相手に送信されることはない。この場合、マイクロホン２の入力をミュートしているので、指や手の摩擦音を伝えてしまったり、音孔を十分に塞ぐことができずに、通話相手に声が聞こえてしまったりするということもない。
【００５１】
一方、上述した動作により、通話中にミュート状態になった場合には（ステップＳ４８のＹＥＳ）、近接センサ１１により、ユーザが携帯電話端末１を耳に押し当てて通話する際のレシーバ４で聞くための耳の接近が検出されたか否かを判別する（図４のステップＳ６０）。ここで、近接センサ１１によりレシーバ４で聞くための耳の接近が検出されている場合、すなわちユーザが携帯電話端末１を耳に押し当てている場合には（ステップＳ６０のＹＥＳ）、近接センサ１２により音孔を塞ぐための手や指等の接近が検出されているか否かを判別する（ステップＳ６２）。すなわち、ミュート判別部９は、マイクロホン２へ音声を導く音孔が塞がれているか否かを判別する。
【００５２】
そして、近接センサ１２により音孔を塞ぐための手や指等の接近が検出されている場合、すなわちマイクロホン２へ音声を導く音孔が塞がれている場合には（ステップＳ６２のＹＥＳ）、そのままミュート状態を継続したまま、図３のステップＳ５６に進む。つまり、マイクロホン２へ音声を導く音孔が塞がれている状態が続いている場合には、マイクロホン２の入力をミュートする状態も継続され、音声が通話相手に送信されることはない。
【００５３】
一方、近接センサ１２により音孔を塞ぐための手や指等の接近が検出されていない場合、すなわちマイクロホン２へ音声を導く音孔が塞がれていない場合には（ステップＳ６２のＮＯ）、ミュート判別部９は、ミュートを解除し、マイクロホン２から入力された音声を通話相手に送信するとともに、通話相手の符号化された音声データをコーデック部１０でデコードして復号し、レシーバ４から出力するという通常の通話動作を行う（ステップＳ６４）。
【００５４】
次に、コーデック部１０は、現在、スピーカ５から通話相手の音声を出力するスピーカ出力モードであるか否かを判別する（ステップＳ６６）。そして、スピーカ出力モードである場合には（ステップＳ６６のＹＥＳ）、現在、ユーザは、携帯電話端末１を耳に押し当てて通話しているので、レシーバ４から通話相手の音声を出力するレシーバ出力モードに変更し（ステップＳ６８）、図３のステップＳ５６に進む。一方、スピーカ出力モードでない場合には（ステップＳ６６のＮＯ）、レシーバ出力モードのまま、図３のステップＳ５６に進む。
【００５５】
つまり、上述したミュート状態において、ユーザが、携帯電話端末１を耳に押し当てた状態で、マイクロホン２へ音声を導く音孔から手または指を離すか、あるいは、一旦、耳から離した携帯電話端末１を再度耳に接近させた際に音孔から手や指等を離した場合には、ミュートが解除され、通常の通話動作に移行することができるようになる。
【００５６】
また、ミュート状態において、近接センサ１１によりレシーバ４で聞くための耳の接近が検出されていない場合、すなわちユーザが携帯電話端末１を耳に押し当てていない場合には（ステップＳ６０のＮＯ）、ユーザにより第１の操作が行われた否かを判別する（ステップＳ７０）。第１の操作とは、通話相手の音声を出力するスピーカ出力モードへの変更を指示するための操作であり、予め設定された特定のハードウェアキーの操作や、特定のソフトウェアキーの操作、タッチパネルを備えていれば特定のタッチ操作に相当する。このとき、図示しない表示部に第１の操作によりスピーカ出力モードへの変更が可能であることを表示するようにしてもよい。
【００５７】
ここで、第１の操作が行われた場合には（ステップＳ７０のＹＥＳ）、コーデック部１０は、通話相手の音声をスピーカ５から通話相手の音声を出力するスピーカ出力モードに変更する（ステップＳ７２）。この場合、ミュート状態は継続される。そして、図３のステップＳ５８に進む。
【００５８】
つまり、携帯電話端末１を耳から離した状態で第１の操作が行われると、ミュート判別部９は、ミュート状態を維持し、コーデック部１０は、通話相手の音声をスピーカ５から出力する。これにより、ユーザは、通話相手の音声を聞きながら、メモ帳や資料などを探すなど、ハンズフリーで他の作業を行うことができる。
【００５９】
また、第１の操作が行われない場合には（ステップＳ７０のＮＯ）、ユーザにより第２の操作が行われた否かを判別する（ステップＳ７４）。第２の操作とは、第１の操作とは異なり、ミュート状態を解除し、かつ通話相手の音声を出力するスピーカ出力モードへの変更を指示するための操作であり、予め設定された特定のハードウェアキーの操作や、特定のソフトウェアキーの操作、タッチパネルを備えていれば特定のタッチ操作に相当する。
【００６０】
ここで、第２の操作が行われた場合には（ステップＳ７４のＹＥＳ）、ミュート判別部９は、ミュート状態を解除し、マイクロホン２から入力された音声を通話相手に送信するとともに、コーデック部１０は、通話相手の音声をスピーカ５から通話相手の音声を出力するスピーカ出力モードに変更する（ステップＳ７６）。すなわち、ハンズフリーモードと同様の動作になる。そして、図３のステップＳ５８に進む。
【００６１】
つまり、携帯電話端末１を耳から離した状態で第２の操作が行われると、ミュート判別部９がミュート状態を解除し、コーデック部１０が通話相手の音声をスピーカ５から出力することで、ユーザは、通話相手との通話を継続しながら、メモ帳や資料などを探すなど、ハンズフリーで他の作業を行うことができる。
【００６２】
また、ミュート状態において、ユーザが携帯電話端末１を耳から離している状態で、ユーザにより第１の操作も、第２の操作も行われない場合には（ステップＳ７０のＮＯ、ステップＳ７４のＮＯ）、音声を導く音孔が塞がれていなくても、ミュート状態を継続したまま、図３のステップＳ５６に進む。
【００６３】
つまり、携帯電話端末１を耳から離した状態で、第１の操作も、第２の操作も行われない場合には、ミュート状態が継続されるので、ユーザは、ミュートするために音孔を継続して塞いでいる必要がない。このため、通話中にメモ帳や資料などを探すなど、ハンズフリーで他の作業を行うことができる。この間、ミュート状態は維持されるので、周囲の音声が、通話相手に聞こえるということはない。
【００６４】
また、ハンズフリー通話状態である場合には（ステップＳ４６のＹＥＳ）、ミュート判別部９は、ミュートを解除し、マイクロホン２から入力された音声を通話相手に送信する（ステップＳ５４）。なお、ハンズフリー通話状態である場合には、通話相手の符号化された音声データをコーデック部１０でデコードして復号し、スピーカアンプ６を介してスピーカ５から出力するという通話動作を行う。
【００６５】
そして、いずれの場合も、終話操作があったか否かを判別し（図３のステップＳ５６）、終話操作がない場合には（ステップＳ５６のＮＯ）、ステップＳ４０に戻り、上述した処理を繰り返す。一方、終話操作があった場合には（ステップＳ５６のＹＥＳ）、回線切断処理を実行し（ステップＳ５８）、当該処理を終了する。
【００６６】
上述した第２実施形態によれば、レシーバ４から出力される音声を聞くための耳の接近を検出する近接センサ１１による検出結果と、音声を導く音孔を塞ぐための手や指等の接近を検出する近接センサ１２の検出結果とに従って、マイクロホン２からの音声を通話相手に送信するか否かを制御（ミュート開始、継続、解除）するようにしたので、ユーザに意識させることなく、ユーザの動作や行動に応じてミュート動作（開始、継続、解除）を制御することができ、より利便性を向上させることができる。
【００６７】
より具体的には、上述した第２実施形態によれば、携帯電話端末１を耳に押し当てた状態で、音声を導く音孔を塞ぐというユーザによる通常の動作を検出した場合であっても、携帯電話端末１を耳から離した状態で、音声を導く音孔を塞ぐというユーザによる通常の動作を検出した場合であっても、マイクロホン２から入力された音声を無効とするミュートを開始するようにしたので、キーを押すなどの意図的な操作を行わせること無しに、ミュート状態に移行させることができる。
【００６８】
また、上述した第２実施形態によれば、ユーザが音孔から手または指を離すと、ミュートを解除するようにしたので、ユーザにキーを押すなどの意図的な操作を行わせること無しに、ミュート状態を解除して通常の通話動作へ戻ることができる。
【００６９】
また、上述した第２実施形態によれば、ミュート状態において、携帯電話端末１を耳から離している場合、音声を導く音孔が塞がれていなくても、ミュート状態を継続するようにしたので、ミュートするために音孔を継続して塞いでいる必要がなくなり、通話中にメモ帳や資料などを探すなど、ハンズフリーで他の作業を行うことができる。
【００７０】
また、上述した第２実施形態によれば、ミュート状態において、第１の操作が行われると、ミュート状態を継続しつつ、通話相手の音声をスピーカ５から出力する音声出力をスピーカ出力モードに変更するようにしたので、通話相手の音声を聞きながら、メモ帳や資料などを探すなど、ハンズフリーで他の作業を行うことができる。
【００７１】
また、上述した第２実施形態によれば、ミュート状態において、第２の操作が行われると、ミュート状態を解除するとともに、通話相手の音声をスピーカ５から出力する音声出力をスピーカ出力モードに変更するようにしたので、通話相手との通話を継続させながら、メモ帳や資料などを探すなど、ハンズフリーで他の作業を行うことができる。
【００７２】
なお、上述した第２実施形態では、図４に示すステップＳ７０〜Ｓ７６で、第１の操作、または第２の操作が行わると、通話相手の音声をスピーカ５から出力する音声出力をスピーカ出力モードに変更するようにしたが、これに限らず、例えば、ユーザが携帯電話端末１を耳から離したことを、近接センサ１１によって検出したことを契機にスピーカ出力モードに変更するようにしてもよい。
【００７３】
または、ユーザが携帯電話端末１を耳から離したことを、近接センサ１１によって検出したことを契機にタイマにより計時を開始し、所定の時間経過後にスピーカ出力モードに変更するようにしてもよい。但し、不用意に通話相手の音声をスピーカ５から出力すると問題となる場合もあるので、第２実施形態で説明したように、第１の操作、または第２の操作を契機に切り替えることは効果的である。
【００７４】
なお、上述した第１、第２実施形態では、本発明による音声処理装置を携帯電話端末１に適用した例であるが、本発明はこれに限定されるものではなく、音声による通話が可能な通信装置であれば、ベーシックフォン、フューチャーフォン・スマートフォンでもよく、また、固定電話にも幅広く適用可能である。
【００７５】
また、図１に示すミュート判別部９は、レシーバ４から出力される音声を聞くための耳の接近を検出する近接センサ１１の検出結果と音孔を塞ぐための手や指等の接近を検出する近接センサ１２の検出結果に基づいて、ミュート処理の実行、解除動作を行うだけである。このため、近接センサ１１、１２を図示しないＣＰＵ（Ｃｅｎｔｒａｌ  Ｐｒｏｃｅｓｓｉｎｇ  Ｕｎｉｔ）のＧＰＩＯ（Ｇｅｎｅｒａｌ  Ｐｕｒｐｏｓｅ  Ｉｎｐｕｔ／Ｏｕｔｐｕｔ）に接続し、該ＣＰＵで近接センサ１１、１２の検出結果に基づいてミュート処理の実行、解除の実行を判別するようにしてもよい。すなわち、上記近接センサ１１、１２の検出結果に対する判別処理は、ＣＰＵによって代用することが可能である。ＤＳＰ７は、内部に存在するアンプ部（不図示）にて音響操作を行うことができるため、ＣＰＵからの制御信号に従って、ミュート処理を実行したり、解除動作を実行したりすればよい。
【００７６】
以下、本発明の特徴を付記する。
上記の実施形態の一部又は全部は、以下の付記のようにも記載されうるが、以下には限られない。
（付記１）
図５は、付記１の構成図である。ここで、図５と図１との対応について説明する。図５に示す音声検出部２０は、図１のマイクロホン２に相当し、図５の第１の接近検出部２１は、図１の近接センサ１２に相当する。また、図５の音声出力部２２は、図１のレシーバ４に相当し、図５の第２の接近検出部２３は、図１の近接センサ１１に相当し、図５の制御部２４は、図１のミュート判別部９に相当する。
【００７７】
この図に示すように、付記１記載の発明は、
音声検出部２０と、
前記音声検出部２０に音声を導く音孔を塞ぐための第１の接近を検出する第１の接近検出部２１と、
音声出力部２２と、
前記音声出力部２２から出力される音声を聞くための第２の接近を検出する第２の接近検出部２３と、
前記第１の接近検出部２１による第１の接近の検出結果に基づいて、前記音声検出部２０により検出された音声を通話相手に送信するか送信しないかを制御し、前記第１の接近検出部２１による第１の接近の検出結果と前記第２の接近検出部２３による第２の接近の検出結果とに基づいて、前記音声検出部２０により検出された音声を送信しない状態を継続するか、送信しない状態を解除して送信するかを制御する制御部２４と
を備えることを特徴とする音声処理装置である。
【００７８】
（付記２）
前記制御部は、少なくとも前記第１の接近検出部により前記第１の接近が検出されている間、前記音声検出部により検出された音声を無効状とするよう制御することを特徴とする付記１に記載の音声処理装置である。
【００７９】
（付記３）
前記制御部は、前記音声検出部により検出された音声を無効としている間に、前記第２の接近検出部により前記第２の接近が検出されず、かつ前記第１の接近検出部により前記第１の接近が検出されない場合に、前記音声検出部により検出された音声の無効状態を継続するよう制御することを特徴とする付記２に記載の音声処理装置である。
【００８０】
（付記４）
前記制御部は、前記音声検出部により検出された音声を無効としている間に、前記第２の接近検出部により前記第２の接近が検出され、かつ前記第１の接近検出部により前記第１の接近が検出されない場合に、前記音声検出部により検出された音声の無効状態を解除して有効とするように制御することを特徴とする付記２または３に記載の音声処理装置である。
【００８１】
（付記５）
音声検出部と、前記音声検出部に音声を導く音孔を塞ぐための第１の接近を検出する第１の接近検出部と、音声出力部と、前記音声出力部から出力される音声を聞くための第２の接近を検出する第２の近接検出部と、前記第１の接近検出部による第１の接近の検出結果に基づいて、前記音声検出部により検出された音声を通話相手に送信するか送信しないかを制御し、前記第１の接近検出部による第１の接近の検出結果と前記第２の接近検出部による第２の接近の検出結果とに基づいて、前記音声検出部により検出された音声を送信しない状態を継続するか、送信しない状態を解除して送信する状態とするかを制御する制御部とを備えることを特徴とする通信装置である。
【００８２】
（付記６）
前記制御部は、少なくとも前記第１の接近検出部により前記第１の接近が検出されている間、前記音声検出部により検出された音声を通話相手に送信しないよう制御することを特徴とする付記５に記載の通信装置である。
【００８３】
（付記７）
前記制御部は、前記音声検出部により検出された音声を通話相手に送信しない状態としている間に、前記第２の接近検出部により前記第２の接近が検出されず、かつ前記第１の接近検出部により前記第１の接近が検出されない場合に、前記音声検出部により検出された音声を通話相手に送信しない状態を継続するよう制御することを特徴とする付記６に記載の通信装置である。
【００８４】
（付記８）
前記制御部は、前記音声検出部により検出された音声を通話相手に送信しない状態としている間に、前記第２の接近検出部により前記第２の接近が検出され、かつ前記第１の接近検出部により前記第１の接近が検出されない場合に、前記音声検出部により検出された音声を送信しない状態を解除して送信するように制御することを特徴とする付記６または７に記載の通信装置である。
【００８５】
（付記９）
音声検出部に音声を導く音孔を塞ぐための第１の接近を検出する第１の接近検出ステップと、音声出力部から出力される音声を聞くための第２の接近を検出する第２の接近検出ステップと、前記第１の接近の検出結果に基づいて、前記音声検出部により検出された音声を無効とするか有効とするかを制御し、前記第１の接近の検出結果と前記第２の接近の検出結果とに基づいて、前記音声検出部により検出された音声の無効状態を継続するか無効状態を解除して有効とするかを制御する制御ステップとを含むことを特徴とする音声制御方法である。
【００８６】
（付記１０）
コンピュータに、音声検出部に音声を導く音孔を塞ぐための第１の接近を検出する第１の接近検出機能、音声出力部から出力される音声を聞くための第２の接近を検出する第２の接近検出機能、前記第１の接近検出機能による前記第１の接近の検出結果に基づいて、前記音声検出部により検出された音声を無効とするか有効とするかを制御し、前記第１の接近検出機能による前記第１の接近の検出結果と前記第２の接近検出機能による前記第２の接近の検出結果とに基づいて、前記音声検出部により検出された音声の無効状態を継続するか無効状態を解除して有効とするかを制御する制御機能を実行させることを特徴とするプログラムである。
【００８７】
（付記１１）
接近することなく音声を聞くことが可能な出力レベルで、前記通話相手の音声を出力する他の音声出力部と、第１の操作を検出する操作検出部とを更に備え、
前記制御部は、前記第２の近接検出部により前記第２の接近が検出されていない間に、前記操作検出部により第１の操作が検出された場合、前記音声検出部により検出された音声を通話相手に送信しない状態を継続するよう制御するとともに、前記他の音声出力部から通話相手の音声を出力するよう制御する
ことを特徴とする付記５から８のいずれかに記載の通信装置である。
【００８８】
（付記１２）
前記操作検出部は、前記第１の操作とは異なる第２の操作を検出し、前記制御部は、前記第２の近接検出部により前記第２の接近が検出されていない間に、前記操作検出部により第２の操作が検出された場合、前記音声検出部により検出された音声を送信しない状態を解除して送信する状態にするように制御するとともに、前記音声出力部から通話相手の音声を出力するよう制御することを特徴とする付記１１に記載の通信装置である。
【符号の説明】
【００８９】
１  携帯電話端末
２  マイクロホン
３  マイクロホンアンプ
４  レシーバ
５  スピーカ
６  スピーカアンプ
７  ＤＳＰ
８  ＡＤＣ
９  ミュート判別部
１０  コーデック部
１１、１２  近接センサ
【図１】
2014090350.tif 000003
【図２】
2014090350.tif 000004
【図３】
2014090350.tif 000005
【図４】
2014090350.tif 000006
【図５】
2014090350.tif 000007